(57)【特許請求の範囲】
【請求項１】
少なくとも２本のケーブルを接続する少なくとも１つのコネクタによって形成されるケーブルスプライス用のエンクロージャであって、
それぞれが２つの長手方向の側面と２つの端壁を有し、前記ケーブルがカバー部材の端壁のうちの少なくとも１つから突出するように互いに係合し、かつ前記ケーブルスプライスを密封するためのキャビティを形成するように構成され、前記キャビティがケーブルスプライスを絶縁して環境から前記スプライスを保護するためのシーラント材料で満たされた第１カバー部材及び第２カバー部材と、
前記第１及び第２カバー部材により形成されるキャビティの中へ固定部材と取り付け対象のケーブルスプライスを挿入できるように構成された、前記ケーブルスプライスに取り付けるためのケーブル固定部材と、
を備えていて、
前記固定部材が、前記キャビティ内に挿入される際に、前記第１及び第２カバー部材の端壁に隣接して配置される横方向に延在するラテラルバーを含み、
前記固定部材の横方向に延在するラテラルバーが、前記ケーブルを捕らえるための歯を更に備えているエンクロージャ。
【請求項２】
少なくとも２本のケーブルを接続する少なくとも１つのコネクタによって形成されるケーブルスプライス用のエンクロージャであって、
それぞれが２つの長手方向の側面と２つの端壁を有し、前記ケーブルがカバー部材の端壁のうちの少なくとも１つから突出するように互いに係合し、かつ前記ケーブルスプライスを密封するためのキャビティを形成するように構成され、前記キャビティがケーブルスプライスを絶縁して環境から前記スプライスを保護するためのシーラント材料で満たされた第１カバー部材及び第２カバー部材と、
前記第１及び第２カバー部材により形成されるキャビティの中へ固定部材と取り付け対象のケーブルスプライスを挿入できるように構成された、前記ケーブルスプライスに取り付けるためのケーブル固定部材と、
を備えていて、
前記固定部材が、前記キャビティ内に挿入される際に、前記第１及び第２カバー部材の端壁に隣接して配置される横方向に延在するラテラルバーを含み、
前記固定部材がキャビティ内に挿入される際に前記シーラントがケーブルスプライスの周りに回り込むように、前期固定部材が前記第１または第２カバー部材のうち少なくとも１つの長手方向の側面に隣接して配置されるように構成された少なくとも１つの長手方向のサイドバーを含んでいるエンクロージャ。
【請求項３】
少なくとも２本のケーブルを接続する少なくとも１つのコネクタによって形成されるケーブルスプライス用のエンクロージャであって、
それぞれが２つの長手方向の側面と２つの端壁を有し、前記ケーブルがカバー部材の端壁のうちの少なくとも１つから突出するように互いに係合し、かつ前記ケーブルスプライスを密封するためのキャビティを形成するように構成され、前記キャビティがケーブルスプライスを絶縁して環境から前記スプライスを保護するためのシーラント材料で満たされた第１カバー部材及び第２カバー部材と、
前記第１及び第２カバー部材により形成されるキャビティの中へ固定部材と取り付け対象のケーブルスプライスを挿入できるように構成された、前記ケーブルスプライスに取り付けるためのケーブル固定部材と、
を備えていて、
前記固定部材が、前記キャビティ内に挿入される際に、前記第１及び第２カバー部材の端壁に隣接して配置される横方向に延在するラテラルバーを含み、
前記シーラントと前記カバー部材との間のより良い固着を実現するために前記キャビティの内面にひだが設けられているエンクロージャ。
【請求項４】
少なくとも２本のケーブルを接続する少なくとも１つのコネクタによって形成されるケーブルスプライス用のエンクロージャであって、
それぞれが２つの長手方向の側面と２つの端壁を有し、前記ケーブルがカバー部材の端壁のうちの少なくとも１つから突出するように互いに係合し、かつ前記ケーブルスプライスを密封するためのキャビティを形成するように構成され、前記キャビティがケーブルスプライスを絶縁して環境から前記スプライスを保護するためのシーラント材料で満たされた第１カバー部材及び第２カバー部材と、
前記第１及び第２カバー部材により形成されるキャビティの中へ固定部材と取り付け対象のケーブルスプライスを挿入できるように構成された、前記ケーブルスプライスに取り付けるためのケーブル固定部材と、
を備えていて、
前記固定部材が、前記キャビティ内に挿入される際に、前記第１及び第２カバー部材の端壁に隣接して配置される横方向に延在するラテラルバーを含み、
係合した前記第１及び第２カバー部材が、前記カバー部材の前記シーラント充填キャビティとそれの嵌め合いとなる端壁との間に、前記キャビティから漏れるシーラントを溜めてそれによってシーラントが前記エンクロージャから漏れ出るのを防ぐよう構成されたリザーバをさらに含んでいるエンクロージャ。
【請求項５】
少なくとも２本のケーブルを接続する少なくとも１つのコネクタによって形成されるケーブルスプライス用のエンクロージャであって、
それぞれが２つの長手方向の側面と２つの端壁を有し、前記ケーブルがカバー部材の端壁のうちの少なくとも１つから突出するように互いに係合し、かつ前記ケーブルスプライスを密封するためのキャビティを形成するように構成され、前記キャビティがケーブルスプライスを絶縁して環境から前記スプライスを保護するためのシーラント材料で満たされた第１カバー部材及び第２カバー部材と、
前記第１及び第２カバー部材により形成されるキャビティの中へ固定部材と取り付け対象のケーブルスプライスを挿入できるように構成された、前記ケーブルスプライスに取り付けるためのケーブル固定部材と、
を備えていて、
前記固定部材が、前記キャビティ内に挿入される際に、前記第１及び第２カバー部材の端壁に隣接して配置される横方向に延在するラテラルバーを含み、
前記第１及び第２カバー部材の端壁が前記エンクロージャから突出するケーブルに押し付けられるときに破断するか、もしくは曲がるように構成されているエンクロージャ。
【発明の詳細な説明】
【０００１】
発明の分野
本発明はケーブルスプライス用エンクロージャに関する。より詳細には、本発明は、スプライスが少なくとも２本のケーブルを接続するための少なくとも１つのコネクタを含む、長手方向に延在したケーブルスプライス用のエンクロージャに関する。少なくとも前記エンクロージャの一部分には、ケーブルスプライスに絶縁と環境保護を提供するためのシーラントが充填される。
【０００２】
発明の背景
低電圧用途の長手方向に延在したケーブルスプライスは周知である。このようなケーブルスプライスは突合せ形またはインライン形などであり、機械的衝撃、電撃、及び水や湿気の侵入に対する保護を必要とするのが普通である。また、２本〜４本のケーブルが、ねじ込み式コネクタ、圧着形コネクタ、あるいは当業で知られている他の好適なコネクタなどのコネクタにより接合されるのが一般である。これらのケーブルの断面は一般的に１．５〜１５０ｍｍ２であり、これは直径５〜３０ｍｍに相当する。よって、これらのエンクロージャの寸法は、少なくともおよそ数センチメートルである。
【０００３】
機械的衝撃、電撃、及び水または湿気の浸入に対して必要な保護を提供するスプライスエンクロージャを得るための最も有効かつ最も安全な方法は、ケーブルスプライスをスプライスエンクロージャの中に配置するか、硬化可能な樹脂を注入して成形することである。そうすれば、硬化した樹脂自体がスプライス本体を形成する。残念ながら、このタイプのスプライス本体では、スプライスを非破壊的に再度開くことはできない。しかし、いろいろな理由でスプライス本体を再度開くことが必要となることが多い。
【０００４】
このため、様々な用途においては、スプライス本体を破壊したりあるいは過度の力を加えたりせずに入れ替えができるスプライス本体を持つことが望ましい。更に、接続ケーブルへの作業完了後に保護スプライス本体を再度閉じることのできる状態を維持することがきわめて望ましい。
【０００５】
エンクロージャやスプライスを破壊せずに保護エンクロージャ内への入れ替えを可能にするいくつかのスプライスエンクロージャとそのようなエンクロージャを使用するいくつかの方法が開発された。一般に、このケーブルスプライスは、材料がケーブルスプライスのすべての隙間へ容易に貫入するだけの十分低い粘性を有する材料で密封される。一般に、この材料は、スプライスが比較的容易に再度開けるよう完全には硬化しない。しかし、この材料の粘性は、長期間に渡って所定の場所に滞留し、スプライスエンクロージャ外へ容易に流出しないだけの高さであることが必要である。しかし、この材料のこの比較的低い粘性は、他の問題を生じる。つまり、ケーブル接続のスプライス本体内での機械的固定が不十分となり、接続されたケーブルがスプライスエンクロージャ内で望ましくない態様で動いてしまうのである。このため、接続されたケーブルが無統制に動かないよう、スプライス本体内に各ケーブル及び各コネクタを機械的に固定する手段を設ける必要がある。
【０００６】
欧州特許ＥＰ第０３２８３８６号は、ケーブルスプライスに対して所望の電気的及び環境的保護を提供するスプライスエンクロージャについて記載している。このスプライスエンクロージャは、２つの部分が１つのヒンジで互いに接続された成形品または押出品である。このスプライス本体の２つの部分にはシーラントが充填される。この構成は、ケーブルに十分な圧力をかけてそれらを保持する閉システムに比較的細いケーブルを接続する場合に特に有用である。
【０００７】
ＰＣＴ公開ＷＯ  ９７／１６８６９は、成形された本体が１つのヒンジで互いに接続された２つの部品で構成され、両方の部品にジェルタイプの材料が充填されたシステムについて記述している。この本体の両方の部品には、接続したケーブルのコネクタがスプライス本体内で無統制に動くのを防止する内部突起またはアライメントボタンを備えている。このシステムは、ケーブルコネクタのサイズがスプライス本体内でのケーブルコネクタの無統制な動きを防止する内部突起の配置にほぼ対応している場合にのみうまく動作することができる。それより大きなコネクタはこのシステム内に配置することもできず、またそれより小さなコネクタでは受け入れ不能な運動の自由度をもつことになる。
【０００８】
米国特許５，３９７，８５９は、１つのヒンジによって互いに接続され、またラテラルフラップを備えた２つの部品を有するエンクロージャについて記述している。このフラップは、エンクロージャをスプライスの上に閉じたときにシーラントが無統制に流出するのを防ぐ。このエンクロージャは、特殊コネクタで接続される同軸ケーブル用に設計されている。接続されたケーブルがエンクロージャ内の特別設計の張力解放手段の間で押されると、スプライスはエンクロージャ内で必要な機械的固定を得る。このエンクロージャは、各ケーブルタイプ及びコネクタの使用に関して限定的な融通性を有する。
【０００９】
米国特許４，６１０，７３８は、通信ケーブルのバンドルのスプライス用エンクロージャを示している。上述の参考文献におけるのと同様に、このエンクロージャの２つの部分が１つのヒンジで連結されている。この２つのケーブルバンドルは、このケーブルバンドルを挿入するスロット付きのエンクロージャの中央においてネジにより互いに固定され、バンドルは追加ナットで互いに固定される。バンドルの端は直角の方向に曲げられ、ケーブルはバンドル端が仕分けされた状態でエンクロージャのジェル内に挿入される。各バンドルの個々のケーブルは、各ケーブルへ個々のコネクタを固定できるようにする特殊な保持装置に接続される。このようなシステムは、接続するケーブルのコネクタを参考文献の保持ネジが配置される場所に配置する必要があるため、ここに記載した一般的な低電圧ケーブルスプライスの保護には有用とならない。
【００１０】
上記の参考文献は、ケーブルスプライス用の様々な種類のエンクロージャについて記載している。ただし、これらの参考文献は、ケーブルまたはケーブルスプライス全体のいずれかの特定の構成にのみ有用である。ケーブルやコネクタの寸法が比較的小さい場合は、エンクロージャ内に圧縮されたシーラントが必要な機械的安定化を提供する。他の構成では、機械的安定性を得るためにエンクロージャ内にアライメント突起が設けられる。しかし、このアライメント突起は、本エンクロージャの使用を、細かく定義された形状を有するスプライスに限定する。エンクロージャ内に設けられた張力解放手段は、小さなサイズ範囲にあるケーブルに制限される。最後に、エンクロージャ中央に固定ネジが使用されることで、一般的な低電圧スプライスコネクタへのこのエンクロージャの使用は排除される。
【００１１】
したがって、実に様々な直径のケーブルに使用可能で、また必要な電気的及び環境的保護、更にはエンクロージャにケーブルを確実に固定する手段が得られる再入可能なスプライスエンクロージャを提供することが望ましいのである。
【００１２】
発明の概要
本発明は、様々な種類のコネクタとスプライス構成を確実に保持する簡単に再入可能なスプライスエンクロージャを提供する。この創意に富んだエンクロージャは、２つの長手方向の側面と２つの端壁をそれぞれ有する第１カバー部材及び第２カバー部材を含む。このカバー部材は、取り外し可能な形態で互いに噛み合せてケーブルスプライスを密封するためのキャビティを形成するよう構成される。このキャビティには、ケーブルスプライスを絶縁し、環境からケーブルスプライスを保護するためのシーラントが充填される。ケーブルスプライスの各ケーブルは、カバー部材の端壁の少なくとも１つから突出している。ケーブルスプライスへの取付け用にケーブル固定部材が設けられている。固定部材と固定ケーブルスプライスは、第１及び第２カバー部材により形成されるキャビティの中に挿入される。固定部材は、様々な種類のケーブルスプライスを固定部材に取り付けられるよう構成される。
【００１３】
別の固定部材を有することの利点は、シーラントを充填したカバー部材の邪魔をせずに固定部材にケーブルスプライスを固定できることである（つまり、ケーブルスプライスは、シーラント充填キャビティ内への挿入前に固定メンバーに確実に固定される）。更に、別の固定部材により、このエンクロージャでは実に様々な種類のケーブルスプライスが利用できる。ただひとつの制約は、カバー部材により形成されるエンクロージャのキャビティ内にスプライスが収まる必要があることである。
【００１４】
完成したエンクロージャ内にケーブルスプライスを効果的に固定するには、固定部材及び取り付けたスプライスがこのキャビティ内へ挿入されるときに固定部材上の取付けポイントがキャビティ端壁に隣接するようこの取付けポイントを配置するのが望ましい。これにより、ケーブルスプライスは、固定部材及び取り付けたスプライスがキャビティへ挿入されるときにエンクロージャと長手方向に位置合せされる。
【００１５】
特に汎用性のある固定部材の場合、その固定部材に、複数の取付けポイント及び固定部材へのスプライスの複数の取付方法を提供するのが有利である。たとえば固定部材には、キャビティを横切るように延び、また複数の取付けポイントを提供するバーを設けても構わない。固定部材へのスプライスの取付けは、ひも、ワイヤ、ネジ付きファスナなどで行うことができ、またできれば一般に利用されるケーブルタイで行うと更によい。他の好適な取付け方法は、固定部材にケーブルを固定できるクランプの使用であろう。
【００１６】
本発明の詳細な説明
図１ａと１ｂは、長手方向に延在したケーブルスプライス用の本エンクロージャの第１実施例を示している。エンクロージャ１０は成形プロセスにより成形されるのが望ましく、また第１カバー部材１２、第２カバー部材１４、そしてケーブル固定部材１６を含む。第１カバー部材１２と第２カバー部材１４は、シーラント５０、５２をそれぞれ保持するよう設けられたキャビティ１８、２０をそれぞれ含む（図３参照）。固定部材１６は平板２２を含む。この平板２２は、本エンクロージャの使用前に固定部材１６から切り離されるよう設計されており、下記の方法に従って接続したケーブルの分離手段として使用することも、また使用せずに捨てることもできる。
【００１７】
第１カバー部材１２と第２カバー部材１４は、長手方向の側壁１７を有する。ヒンジ２４は、第１及び第２カバー部材１２、１４の側壁１７の間にあり、それによってカバー部材１２、１４を繋げている。固定部材１６は、ヒンジ２６、２８、３０、及び３２によって、第１カバー部材１２の反対側の第２カバー部材１４の側壁１７に蝶番式に取り付けられる。もちろん、これらのヒンジの数及び正確な位置は、本発明の範囲に影響を及ぼすことなく変更できる。ヒンジ２４、２６、２８、３０、及び３２は、カバー部材１２、１４及び固定部材１６と一体成形されるのが望ましく、ヒンジの曲げ軸を定義する厚みの薄い部分３３を有する。このタイプのヒンジは、「一体の」蝶番と称されることが多い。もちろん、フィルムやテープなど、他のよく知られたタイプのヒンジも使用できる。さらに、これらのヒンジがカバー部材１２、１４及び固定部材１６と一体成形されない場合には、別のヒンジ部材をカバー部材１２、１４及び固定部材１６の中に差込み成形したり、あるいは成形プロセス後に接着剤などを使用して取り付けることができる。
【００１８】
第１カバー部材１２には、第１カバー部材１２及び第２カバー部材１４を折りたたむと、第２カバー部材１４の開口部３８、４０に噛み合うよう配置されたラッチタブ３４、３６が設けられている。第１カバー部材１２はまた、第２カバー部材１４の外端に噛みあうためのラッチタブ４１を含む。ヒンジ２４、２６、２８及び３０について上述した通り、ラッチタブの数と位置は、本発明の範囲に影響を及ぼすことなく変更できる。
【００１９】
カバー部材１２と１４の中のキャビティ１８と２０は、カバー部材１２と１４の端壁４４から一定の距離に配置された中壁４２の間にある。このように、追加リザーバ４６が、カバー部材１２と１４の中壁４２と端壁４４との間のカバー部材１２、１４の両端に作られる。中壁４２と端壁４４には、折れやすい溝４５が設けられている。溝４５は、薄い壁部分と厚い壁部分ができるよう、壁４２、４４の厚みの変化を作る。この厚みの変化は、ケーブルを押し付けたときにそれらの壁が折れるようにするためのものである。厚みの変化はその材料の全厚に依存するが、代表的な用途では０．１５〜１．５ｍｍで構わない。また図では、キャビティ１８と２０の下面にひだ４８が設けられているのがわかる。ひだ４８は、キャビティ１８と２０の中のシーラント５０、５２とエンクロージャとの付着性を改善する。
【００２０】
本書に記載する本発明の実施例はキャビティ１８、２０をそれぞれ有するカバー部材１２、１４の両方を図解しているが、カバー部材１２、１４のうちの１つだけがキャビティを有し、他方は実質的に蓋として機能するものも同様に可能である。そのような実施例では、シーラントはキャビティを有する片方のカバー部材にだけ使用される。このような実施例は図解されていないが、本書に記載する本発明の範囲内にあるものと考えられる。
【００２１】
図２はエンクロージャ１０の第２実施例を示す。図２の実施例は、実質的に、上記の図１ａ及び１ｂの実施例に類似しており、同様の構成部品に同じ番号が付られている。図２の第２実施例と図１ａ及び１ｂの実施例との間の主な相違点は、図２の実施例が、カバー部材１２及び１４と固定部材１６をつなぐためのヒンジを含まない点である。代わりに、カバー部材１２、１４には、カバー部材の両側にラッチ３４、３６が設けられている。図２からもわかる通り、カバー部材１２、１４は同じ型で生産できるよう同一のものである。他のすべての点において、図２に示すエンクロージャ１０の使用における組立ては、図１ａ及び１ｂの実施例で説明したものと類似している。
【００２２】
図３は、図１ｂと基本的に同一であり、キャビティ１８にシーラント５０、そしてキャビティ２０にシーラント５２を有するエンクロージャ１０を示している。シーラント５０、５２の粘性は、接続したケーブルや関連コネクタ周りの隙間へシーラントが流れこめるだけの低さと、エンクロージャ１０からのシーラントの流出を防止できるだけの高さを有するのが普通である。
【００２３】
図３に示すエンクロージャ１０の構成は、ほぼ使用可能な状態である。図３のエンクロージャを使用するには、まず固定部材１６から平板２２を取り外して、エンクロージャを図４の状態にする必要がある。平板２２を取り外すと、固定部材１６は、ラテラルバー５８と６０によって接続された２つの長手方向のサイドバー５４、５６から構成される。この長手方向のバー５４は、ヒンジ２６、２８、３０及び３２に接続される。この長手方向のバー５４、５６は、第２カバー部材１４の中へ固定部材１６を折りこんだときに、バー５４、５６がシーラント５２の中へ貫入し、シーラント５２がエンクロージャ１０の長手方向の側面から漏れ出すのを防止する障壁を形成する構造になっている。ラテラルバー５８、６０にはそれぞれ複数の開口部あるいはスロット６２が設けられている。示された例においては、各バー５８、６０は４つの矩形開口部６２を含んでいる。更に、ラテラルバー５８、６０は、接続したケーブルのグリップ性改善のための歯６６が設けられている（図示されていない）。
【００２４】
図５ａ、５ｂ及び５ｃは、エンクロージャ１０が出荷及び組立て用に準備するやり方を示している。図５ａは、図４内の線５−５に沿って見たときのエンクロージャ１０の断面図である。図５ｂは、ヒンジ２４の周りに曲げられた第１カバー部材１２を示しており、任意使用の剥離ライナー７０を第２カバー部材１４内のシーラント５２の上に配置した状態を示している。剥離ライナー７０は、シリコン処理を施した紙またはポリエチレンフォイル、テフロンフォイル、ポリエステル製プラスチックシート、またはシーラント５０、５２にすぐに固着しない同様な好適な材料で構成されるのが望ましい。第１カバー部材１２は、タブ３４、３６とがかみ合って穴３８、４０にラッチするまで、ヒンジ２４上で更に回転される。エンクロージャのこの構成は、スプライスの組立て前にエンクロージャ１０を出荷するのに特に適している。このように、シーラント５０、５２は、エンクロージャ１０内でよく保護されるだけでなく、固定部材１６上へのケーブルスプライスの接続が、シーラント５０、５２とは独立して、またそれらに損傷を与えることなく行うことができる。図６は、図５ｃの構成の透視図を示す。
【００２５】
エンクロージャ１０を使用するには、図７に示す通り、固定部材１６にスプライスケーブルが取り付けられる。図７は、分離された、つまりラッチ前の構成でのカバー部材１２、１４を示しているが、カバー部材１２、１４はまた、ケーブルスプライスを固定部材１６に組み付けるプロセスの間、ラッチされた、つまり閉じられたポジションに置くこともできる。図７に示す例では、ケーブルスプライスは、片側に１本のケーブル７２と、そして反対側に圧着コネクタ７８によって互いに接続された２本のケーブル７４、７６から構成されている。もちろん、このコネクタは、ネジ式コネクタなど、当業でよく知られた任意のタイプであってもよい。ケーブル７２、７４、７６は、上述の通り、開口部６２と歯６６を設けたバー５８、６０上に固定される。ケーブル７２、７４、７６は、バー５８、６０の各々の中の開口部６２のうちの２個の中を通るケーブルタイ８０を使用してバー５８、６０に接続される。
【００２６】
図８ａと８ｂは図７に対応している。図８ａは、固定部材１６上に固定された若干異なる構成のケーブルスプライスを示している。図８ａでは、ケーブル８６、８８及び９０がそれぞれ３本のワイヤを含んでいる。これらのワイヤの各々について、コネクタ９２を使って接続が確立される。ケーブル８６、８８及び９０の各ワイヤは同様に接続される。取り外した平板２２は、接続したケーブルワイヤ同士の間に挿入されて、ワイヤ間の頑丈な絶縁障壁を形成する。図８ａの例では、コネクタ９２が絶縁コネクタでない場合にシーラント５０、５２だけではワイヤ間の十分な絶縁距離が得られないことがあるので、接続した各ワイヤ間に頑丈な絶縁障壁を提供することは重要である。図８ｂは、取り外された平板２２が連動してケーブル８６、８８及び９０の個々のワイヤ接続の分離手段を形成する様をより明確に示している。こうすることにより、ケーブル８６、８８及び９０の接続したワイヤ同士の偶発的な短絡が防止できる。この手法の利点は、平板２２が成形プロセスではランナーとして、また必要に応じて分離手段としても使用できるので、追加構成部品が不要であることである。
【００２７】
図７及び８ａの例に加え、ケーブルの数の制限が本質的にはエンクロージャ１０のサイズによってのみ限定される、他の構成のケーブル接続が考えられる。更に、接続がその形状によってエンクロージャ内に収まるのであれば、１つのエンクロージャ内に完全に別の２つのスプライスを納めることが可能である。
【００２８】
図９ａ及び９ｂは、各ケーブルを固定部材１６に取り付ける方法、特に固定部材１６のバー５８、６０に取り付ける方法をより詳細に示している。図９Ａでは、バー５８には、４つの矩形開口部６２ａ、６２ｂ、６２ｃ及び６２ｄが設けられていることがわかる。ケーブルタイ８０は、開口部６２ａと６２ｂの２つの中を通り、よく知られたラッチ手段１００によってケーブル７２を付ける。任意の好適なケーブルタイが使用可能であることは容易に理解される。ケーブルタイは、開口部６２ａ〜６２ｄへの正しい嵌合が得られる好適な材料で作られたものが選択される。
【００２９】
図９ｂは、ケーブル７２をバー５８に固定する代替方法を示している。図９ｂでは、ケーブル７２は、複数の歯１０４、１０６を備えたクランプ１０２によりバー５８上に固定される。クランプ１０２の歯１０４、１０６は、歯１０４、１０６が穴６２ａ及び６２ｂの壁にかみ合って必要な保持力を提供するまで開口部６２ａ及び６２ｂの中に押し込まれる。図に示すケーブルタイ８０とクランプ１０２だけでなく、他の方法を使用しても各ケーブルを固定部材１６に固定できることが理解されるであろう。たとえば、各ケーブルは、ワイヤ、ひも、ネジ付きファスナ（ネジなど）、またはその他の好適な方法によって固定しても構わない。
【００３０】
図１０ａ〜１０ｇは、各ケーブルを固定部材１６上に固定した後の組立て手順の実行を示している。図１０は、図７と８に対応するスプライス構成で、カバー部材１２と１４が閉じた位置にある。上述の通り、この構成の利点は、各ケーブルを固定部材１６に固定する間、シーラント５０、５２がよく保護されることである。ケーブルを固定部材１６に固定した後、タブ３４、３６を解放し、ヒンジ２４を軸として第１カバー部材１２を第２カバー部材１４から回転させることによってエンクロージャ１０が開かれる（図１０ｂ）。この時点で、シーラント５０、５２が互いに固着しないよう挿入された剥離ライナ７０は除去してもよい。図１０ｃは、カバー部材１２、１４が完全に開かれるその後のステップを示している。図１０ｄと１０ｅは、ヒンジ２６、２８、３０及び３２を中心とした固定部材１６の回転を示している。固定部材１６は、ケーブル７４、７６がシーラント５２の中に貫入するまで回転される。この時点で、シーラント５２はケーブル７４、７６によって追い出され、エンクロージャ１０の長手方向側１７の上に貫入する。この場合に、固定部材１６の長手方向のバー５４、５６により、シーラントは長手方向側１７上を移動できなくなり、ケーブル７４、７６の周りの方向に押される。
【００３１】
ケーブル７４、７６がシーラント５２に埋め込まれた後に、カバー部材１２は、ラッチ３４、３６がカバー部材番号１４の開口部３８と４０に噛みあうところまで、固定部材１６とケーブル７２、７４の周りに閉じられる。すると、ケーブル７４と７６は、シーラント５０、５２によって完全に密封される。
【００３２】
図１１は組立て完了後の構成の透視図である。これは、ケーブル７４、７６をエンクロージャ１０から出すための溝４５に沿って裂け目のできたカバー部材１２、１４の端壁４４を示している。中壁４２の同様の割れはエンクロージャ内でも発生する。中壁４２を超えて漏れ出るシーラントはリザーバ４６の中に溜まってエンクロージャ１０の外へ出ることはない。
本書に記載する発明は、本発明の好適実施例を図解した添付図面を参照することにより最もよく理解される。ただし、本発明は、図解した実施例に限定されるものではなく、後述の特許請求の範囲によって定義される通りに解釈されるものとする。
【図面の簡単な説明】
【図１ａ】  この創意に富んだエンクロージャの第１実施例の上面と下面の透視図である。
【図１ｂ】  この創意に富んだエンクロージャの第１実施例の上面と下面の透視図である。
【図２】  本エンクロージャの第２実施例の透視図である。
【図３】  図１ｂに示す本発明の透視図であり、シーラントを充填した第１及び第２カバー部材のキャビティを示している。
【図４】  任意使用の構成部品がエンクロージャの固定部材から取り外された状態を示す、図３に対応する図面である。
【図５ａ】  出荷及び組立て用にエンクロージャを準備する方法を示す、図１ａと図１ｂの実施例の断面図である。
【図５ｂ】  出荷及び組立て用にエンクロージャを準備する方法を示す、図１ａと図１ｂの実施例の断面図である。
【図５ｃ】  出荷及び組立て用にエンクロージャを準備する方法を示す、図１ａと図１ｂの実施例の断面図である。
【図６】  図５ｃのエンクロージャの透視図である。
【図７】  第１構成のケーブルスプライスを本エンクロージャの固定部材に固定した状態を示す透視図である。
【図８ａ】  第２構成のケーブルスプライスを本エンクロージャの固定部材上に固定した状態を示す透視図である。
【図８ｂ】  図８ａのエンクロージャとスプライスであり、ケーブルを取り除いた後の状態を示す。
【図９ａ】  エンクロージャの固定部材にケーブルを固定する２種類の方法を示す固定部材の断面図である。
【図９ｂ】  エンクロージャの固定部材にケーブルを固定する２種類の方法を示す固定部材の断面図である。
【図１０ａ】  図１ａと１ｂに示すエンクロージャの実施例の断面図であり、ケーブルスプライスをエンクロージャに挿入するためのステップの進展を示す。
【図１０ｂ】  図１ａと１ｂに示すエンクロージャの実施例の断面図であり、ケーブルスプライスをエンクロージャに挿入するためのステップの進展を示す。
【図１０ｃ】  図１ａと１ｂに示すエンクロージャの実施例の断面図であり、ケーブルスプライスをエンクロージャに挿入するためのステップの進展を示す。
【図１０ｄ】  図１ａと１ｂに示すエンクロージャの実施例の断面図であり、ケーブルスプライスをエンクロージャに挿入するためのステップの進展を示す。
【図１０ｅ】  図１ａと１ｂに示すエンクロージャの実施例の断面図であり、ケーブルスプライスをエンクロージャに挿入するためのステップの進展を示す。
【図１０ｆ】  図１ａと１ｂに示すエンクロージャの実施例の断面図であり、ケーブルスプライスをエンクロージャに挿入するためのステップの進展を示す。
【図１０ｇ】  図１ａと１ｂに示すエンクロージャの実施例の断面図であり、ケーブルスプライスをエンクロージャに挿入するためのステップの進展を示す。
【図１１】  本書に記載する創意に富むエンクロージャによって保護されるケーブルスプライスの組み上がりの透視図である。
【図１ａ】
0004175777.tif 000002
【図１ｂ】
0004175777.tif 000003
【図２】
0004175777.tif 000004
【図３】
0004175777.tif 000005
【図４】
0004175777.tif 000006
【図５ａ】
0004175777.tif 000007
【図５ｂ】
0004175777.tif 000008
【図５ｃ】
0004175777.tif 000009
【図６】
0004175777.tif 000010
【図７】
0004175777.tif 000011
【図８ａ】
0004175777.tif 000012
【図８ｂ】
0004175777.tif 000013
【図９ａ】
0004175777.tif 000014
【図９ｂ】
0004175777.tif 000015
【図１０ａ】
0004175777.tif 000016
【図１０ｂ】
0004175777.tif 000017
【図１０ｃ】
0004175777.tif 000018
【図１０ｄ】
0004175777.tif 000019
【図１０ｅ】
0004175777.tif 000020
【図１０ｆ】
0004175777.tif 000021
【図１０ｇ】
0004175777.tif 000022
【図１１】
0004175777.tif 000023